(57)【要約】【課題】  この種の動圧軸受装置のスラスト軸受部における摩耗を抑制する。【解決手段】  動圧溝を有するスラスト軸受面８ｂ１と、これに対向するスラスト受け面２ｃとの間のスラスト軸受隙間Ｃに潤滑油の動圧作用で圧力を発生し、軸部材２をスラスト方向に非接触支持する。スラスト受け面２ｃを平坦面とする一方、スラスト軸受面８ｂ１に傾斜面１１を設け、スラスト軸受隙間Ｃに、外径側ほどその軸方向幅を小さくした縮小部１０を設ける。【選択図】図４
2006194383.tif 000002
【特許請求の範囲】
【請求項１】
一端が開口したハウジングと、前記ハウジングの内部に固定された軸受スリーブと、外径側に突出したフランジ部を有し、前記ハウジングおよび前記軸受スリーブに対して相対回転する軸部材と、前記軸受スリーブと前記軸部材との間のラジアル軸受隙間に生じる流体の動圧作用で前記軸部材をラジアル方向に非接触支持するラジアル軸受部と、スラスト軸受隙間に生じる流体の動圧作用で前記軸部材をスラスト方向に非接触支持するスラスト軸受部とを備えた動圧軸受装置であって、
前記軸受スリーブのハウジング開口側の端面とこれに対向する前記軸部材のフランジ部の端面のうち、何れか一方が複数の動圧溝を配列した動圧溝領域を含むスラスト軸受面で、他方がスラスト軸受面と軸方向で対向するスラスト受け面であり、
前記スラスト軸受面と前記スラスト受け面との間に前記スラスト軸受隙間が形成され、
該スラスト軸受隙間が、外径側ほどその軸方向幅を小さくした縮小部を有することを特徴とする動圧軸受装置。
【請求項２】
前記縮小部のスラスト軸受面およびスラスト受け面のうち、少なくとも何れか一方が傾斜面であることを特徴とする請求項１記載の動圧軸受装置。
【請求項３】
前記傾斜面の半径方向幅をｒ、傾斜面の高さをｈとし、ｈ／ｒ≦０．０１に設定したことを特徴とする請求項２記載の動圧軸受装置。
【請求項４】
前記ラジアル軸受部が多円弧軸受で構成されていることを特徴とする請求項１記載の動圧軸受装置。
【請求項５】
請求項１〜４の何れかに記載された動圧軸受装置を有するディスク装置のスピンドルモータ。
【発明の詳細な説明】
【技術分野】
【０００１】
本発明は、軸受隙間に生じる流体（潤滑流体）の動圧作用によって回転部材を非接触支持する動圧軸受装置に関する。この軸受装置は、情報機器、例えばＨＤＤ、ＦＤＤ等の磁気ディスク装置、ＣＤ−ＲＯＭ、ＣＤ−Ｒ／ＲＷ、ＤＶＤ−ＲＯＭ／ＲＡＭ等の光ディスク装置、ＭＤ、ＭＯ等の光磁気ディスク装置などのスピンドルモータ、レーザビームプリンタ（ＬＢＰ）のポリゴンスキャナモータ、あるいは電気機器、例えば軸流ファンなどの小型モータ用として好適である。
【背景技術】
【０００２】
上記各種モータには、高回転精度の他、高速化、低コスト化、低騒音化等が求められている。これらの要求性能を決定づける構成要素の１つに当該モータのスピンドルを支持する軸受があり、近年では、上記要求性能に優れた特性を有する動圧軸受の使用が検討され、あるいは実際に使用されている。
【０００３】
この動圧軸受装置の一例として、特開２００２−６１６４１号公報（特許文献１）には、有底筒状のハウジングと、ハウジングの内部に固定された軸受部材と、軸受部材の内周面に挿入された軸部材と、軸部材と軸受部材の相対回転時に生じる動圧作用で軸部材を回転自在に非接触支持するラジアル軸受部およびスラスト軸受部を備えるものが開示されている。
【０００４】
ラジアル軸受部およびスラスト軸受部のうち、スラスト軸受部は、例えば軸部材のフランジ部端面とこれに対向する軸受部材の端面との間のスラスト軸受隙間に油の動圧作用で圧力を発生させて、軸部材をスラスト方向に非接触支持するものである。
【特許文献１】特開２００２−６１６４１号公報
【発明の開示】
【発明が解決しようとする課題】
【０００５】
ところで、この種の動圧軸受装置では、その起動・停止時に回転側の部材と固定側の部材とが高速で摺動することが避けられない。そのため、モータを頻繁に起動・停止させる情報機器、例えばＨＤＤ−ＤＶＤレコーダや携帯電話用の記憶装置をはじめとするコンシューマ機器に使用する動圧軸受装置においては、使用条件等によって繰返しの起動・停止による摺動面の摩耗が問題となる場合がある。
【０００６】
本発明の課題は、この種の動圧軸受装置におけるスラスト軸受部の摩耗を抑制することである。
【課題を解決するための手段】
【０００７】
前記課題を解決するため、本発明に係る動圧軸受装置は、一端が開口したハウジングと、ハウジングの内部に固定された軸受スリーブと、外径側に突出したフランジ部を有し、ハウジングおよび軸受スリーブに対して相対回転する軸部材と、軸受スリーブと軸部材との間のラジアル軸受隙間に生じる流体の動圧作用で軸部材をラジアル方向に非接触支持するラジアル軸受部と、スラスト軸受隙間に生じる流体の動圧作用で軸部材をスラスト方向に非接触支持するスラスト軸受部とを備えるものであって、軸受スリーブのハウジング開口側の端面とこれに対向する軸部材のフランジ部の端面のうち、何れか一方が複数の動圧溝を配列した動圧溝領域を含むスラスト軸受面で、他方がスラスト軸受面と軸方向で対向するスラスト受け面であり、スラスト軸受面とスラスト受け面との間にスラスト軸受隙間が形成され、スラスト軸受隙間が、外径側ほどその軸方向幅を小さくした縮小部を有することを特徴とする。
【０００８】
これにより、縮小部の最外径部の周速度の大きい箇所が最小幅となるので、動圧溝によるポンピング機能が高まり、モータの起動・停止時におけるスラスト軸受面とスラスト受け面との接触時間を短くすることができる。
【０００９】
このスラスト軸受隙間は、縮小部のスラスト軸受面およびスラスト受け面のうち、少なくとも何れか一方を傾斜面とすることにより得ることができる。この場合、動圧効果の低下等を避けるため、傾斜面の半径方向幅をｒ、傾斜面の高さをｈとし、ｈ／ｒ≦０．０１に設定するのが望ましい。
【００１０】
上記構成において、ラジアル軸受部は、ラジアル軸受隙間に複数のくさび状隙間を有する多円弧軸受で構成することができる。
【００１１】
以上に述べた動圧軸受装置は、例えばＨＤＤ等のディスク装置のスピンドルモータに組込んで好適に使用することができる。
【発明の効果】
【００１２】
本発明によれば、スラスト軸受部における摩耗を抑制することができるので、この種の動圧軸受装置の耐久性向上を図ることができる。
【発明を実施するための最良の形態】
【００１３】
以下、本発明の一実施形態を図１〜図６に基づいて説明する。
【００１４】
図１は、本発明の一実施形態に係る動圧軸受装置１を組込んだ情報機器用スピンドルモータの一構成例を概念的に示している。このスピンドルモータは、ＨＤＤ等のディスク駆動装置に用いられるもので、軸部材２を回転自在に非接触支持する動圧軸受装置１と、軸部材２に装着されたディスクハブ３と、例えば半径方向のギャップを介して対向させたステータコイル４およびロータマグネット５とを備えている。ステータコイル４はケーシング６の外周に取付けられ、ロータマグネット５は、ディスクハブ３の内周に取付けられている。ディスクハブ３は、その外周に磁気ディスク等のディスク状情報記録媒体（以下、単にディスクという。）Ｄを一枚または複数枚保持している。このように構成されたスピンドルモータにおいて、ステータコイル４に通電すると、ステータコイル４とロータマグネット５との間に発生する電磁力でロータマグネット５が回転し、これに伴って、ディスクハブ３およびディスクハブ３に保持されたディスクＤが軸部材２と一体に回転する。
【００１５】
図２は、動圧軸受装置１を示している。この動圧軸受装置１は、軸部材２と、ハウジング７と、ハウジング７に固定された軸受スリーブ８、およびシール部材９とを主な構成要素として構成されている。なお、説明の便宜上、ハウジング７の開口部７ａの側を上側、開口部７ａと反対の側を下側として以下説明する。
【００１６】
軸部材２は、例えばステンレス鋼等の金属材料で形成され、軸部２ａと、円盤状のフランジ部２ｂとを備えている。フランジ部２ｂは軸部２ａの下端よりも上方に設けられ、軸部２ａと一体または別体をなす。なお、軸部２ａの芯部あるいはフランジ部２ｂ、もしくはその双方は、樹脂材料で形成することもできる。
【００１７】
ハウジング７は、一端に開口部７ａを有すると共に、他端を閉じた有底円筒状に形成され、円筒状の側部７ｂと、側部７ｂの他端側に一体に連続した底部７ｃとを備えている。このハウジング７は、例えば液晶ポリマー（ＬＣＰ）や、ポリエーテルエーテルケトン（ＰＥＥＫ）、ポリフェニレンサルファイド（ＰＰＳ）等をベース樹脂とする樹脂組成物を射出成形することで形成される。このハウジング７は、軸受スリーブ８をインサート部品として型成形（インサート成形）することもできる。あるいは、側部７ｂと底部７ｃとを別体に形成し、両者を接着、溶着（超音波溶着等）の手段で相互に結合することもできる。なお、ハウジング７は、必ずしも樹脂で成形する必要はなく、例えば金属材料をプレス加工する等して成形することもできる。側部７ｂのみ、あるいは底部７ｃのみを金属材料で成形してもよい。
【００１８】
また、上記樹脂組成物には、例えば、ガラス繊維等の繊維状充填材、チタン酸カリウム等のウィスカ状充填材、マイカ等の鱗片状充填材、カーボン繊維、カーボンブラック、黒鉛、カーボンナノマテリアル、各種金属粉等の繊維状または粉末状の導電性充填材を、目的に応じて適量配合することができる。
【００１９】
軸受スリーブ８は、例えば、銅やアルミ（合金を含む）等の軟質金属材料、あるいは焼結金属材料で形成されている。この実施形態において、軸受スリーブ８は、焼結金属からなる多孔質体、例えば銅を主成分とする焼結金属の多孔質体で円筒状に形成される。この軸受スリーブ８は、その下端面８ｃをハウジング７の底部７ｃに当接させて、ハウジング７に対する軸受スリーブ８の軸方向位置を定めた上で、接着、溶着などの固定手段によりハウジング７の内周に固定される。
【００２０】
軸受スリーブ８の内周面８ａの上下に離隔した領域には、図３に示すように、第一ラジアル軸受部Ｒ１および第二ラジアル軸受部Ｒ２のラジアル軸受面となる複数の円弧面８ａ１がそれぞれ形成される。各円弧面８ａ１は、回転軸心Ｏからそれぞれ等距離オフセットした点を中心とする偏心円弧面であり、円周方向で等間隔に形成される。各偏心円弧面８ａ１の間には軸方向の分離溝８ａ２が形成される。
【００２１】
軸受スリーブ８の内周面８ａに軸部材２の軸部２ａを挿入することにより、軸受スリーブ８の偏心円弧面８ａ１および分離溝８ａ２と、軸部２ａの真円状外周面２ａ１との間に、第一および第二ラジアル軸受部Ｒ１、Ｒ２の各ラジアル軸受隙間がそれぞれ形成される。ラジアル軸受隙間のうち、偏心円弧面８ａ１と対向する領域は、隙間幅を円周方向の一方で漸次縮小させたくさび状隙間８ａ３となる。くさび状隙間８ａ３の縮小方向は軸部材２の回転方向に一致している。
【００２２】
軸受スリーブ８の上端面８ｂの全面または一部の環状領域には、スラスト動圧発生部として、例えば図示は省略するが、スパイラル形状の動圧溝が形成される。この実施形態において、スラスト軸受面８ｂ１は上端面８ｂの動圧溝形成領域を全面または一部含むものであり、フランジ部２ｂの下端面２ｂ２に形成されるスラスト受け面２ｃは、その全面でスラスト軸受面８ｂ１と対向する。軸部材２の回転時には、両面８ｂ１、２ｃの間に後述するスラスト軸受部Ｔのスラスト軸受隙間が形成される（図２を参照）。
【００２３】
シール部材９は、例えば樹脂材料、あるいは金属材料で環状に形成される。このシール部材９は、ハウジング７の開口部７ａ内周に配され、シール部材９の下端面９ｂと軸受スリーブ８の上端面８ｂとの間にフランジ部２ｂを収容した状態で、超音波溶着などの溶着、あるいは接着等の固定手段によりハウジング７に固定される。この場合、シール部材９の円筒状の内周面９ａは、対向する軸部材２の外周面、この実施形態では軸部２ａの外周面２ａ１との間に所定のシール空間Ｓを形成する。シール部材９で密封されたハウジング７の内部空間には、軸受スリーブ８の内部気孔も含めて、潤滑流体としての潤滑油が充満されており、潤滑油の油面は、シール空間Ｓの範囲内に維持される。
【００２４】
シール部材９の下端面９ｂは、フランジ部２ｂの上端面２ｂ１と軸方向の隙間を介して対向している。軸部材２が上方へ変位すると、フランジ部２ｂの上端面２ｂ１がシール部材９の下端面９ｂと軸方向で係合し、軸部材２を係止する。このように、本実施形態におけるシール部材９は、シール機能と抜け止めの機能を併せ持つ。
【００２５】
上記構成の動圧軸受装置１において、軸部材２の回転時、軸受スリーブ８の内周面８ａのラジアル軸受面となる領域（上下２箇所の領域）は、軸部２ａの外周面２ａ１とラジアル軸受隙間を介して対向し、それぞれ多円弧軸受（テーパ軸受とも称される）を構成する。上記多円弧軸受では、軸部材２の回転に伴い、ラジアル軸受隙間内の潤滑油がくさび状隙間８ａ３の縮小側に押し込まれて、その圧力が上昇する。このような潤滑油の動圧作用によって、軸部２ａを非接触支持する第一ラジアル軸受部Ｒ１と第二ラジアル軸受部Ｒ２がそれぞれ構成される。
【００２６】
同時に、軸受スリーブ８の上端面８ｂに形成されたスラスト軸受面８ｂ１と、これに対向するフランジ部２ｂのスラスト受け面２ｃとの間のスラスト軸受隙間にも、動圧溝の動圧作用により潤滑油の油膜が形成され、この油膜の圧力によって、フランジ部２ｂをスラスト方向に回転自在に非接触支持するスラスト軸受部Ｔが構成される。
【００２７】
本発明では、図４に示すように、スラスト軸受部Ｔのスラスト軸受隙間Ｃに、その軸方向幅Ｗを外径側ほど縮小させた縮小部１０が形成される（図中のスラスト軸受隙間Ｃの幅Ｗは誇張して描かれている）。図４は、スラスト軸受隙間Ｃの一部内径側領域を除いた領域に縮小部１０を設けた場合を概略的に例示している。この縮小部１０は、例えば図示のように、スラスト受け面２ｃを軸方向と直交する方向の平坦面とする一方、スラスト軸受面８ｂ１に外径側ほどスラスト受け面２ｃ側に接近する傾斜面１１を設けることにより形成することができる。この傾斜面１１には、スラスト軸受面８ｂ１の動圧溝領域が形成されるのが望ましい。
【００２８】
このように、スラスト軸受隙間Ｃに縮小部１０を形成することにより、縮小部１０の最外径部がスラスト軸受隙間Ｃの最小幅部Ｗminとなる。軸部材２の回転中は、この縮小部１０の最外径部の周速が大きいことから、動圧溝のポンピング作用が大きくなる。従って、低回転速度でも十分な動圧作用を得ることができ、動圧軸受装置１の接触開始回転速度を低く抑えることができる。これにより、スラスト軸受面８ｂ１とスラスト受け面２ｃとの摺動接触によるスラスト軸受部Ｔでの摩耗を抑制することが可能となり、モータの起動・停止が頻繁に行われる用途に好適な動圧軸受装置１を提供することができる。
【００２９】
ここで、接触開始回転速度とは、それよりも小さい速度ではスラスト軸受面８ｂ１とスラスト受け面２ｃとが接触し、それよりも大きい速度では両面８ｂ１、２ｃが非接触となる回転速度をいう。接触開始回転速度が低くなれば、モータの起動直後あるいは停止直前のスラスト軸受面８ｂ１とスラスト受け面２ｃとの接触時間が短くなるので、スラスト軸受部Ｔでの摩耗を抑制することができる。
【００３０】
かかる効果は、スラスト軸受隙間Ｃが縮小部１０を有する限り得られるものであり、図示のようにスラスト軸受面８ｂ１に傾斜面１１を設ける他、スラスト軸受面８ｂ１を平坦面とする一方、スラスト受け面２ｃに傾斜面を形成してもよく、あるいはスラスト軸受面８ｂ１とスラスト受け面２ｃの双方に傾斜面を形成してもよい。また、傾斜面１１は、図４に示すように、断面がストレートなテーパ状とする他、例えば図示は省略するが、断面が半径Ｒの円弧である曲面（２以上の半径の異なる円弧を組合わせた複合曲面も含む）とすることもできる。
【００３１】
以上の効果を確認するため、本発明品と比較品について、接触開始回転速度の理論計算を行った。ここで、本発明品は、図４に示すように縮小部１０を有するスラスト軸受隙間であり、比較品は、図５に示すように軸方向幅を外径側ほど拡大させた拡大部１０’を有するスラスト軸受隙間である（図５では、図４に示す部材と対応する箇所に「’」の符号を付している）。
【００３２】
理論計算は以下の文献を参考に行った。
Jiasheng Zhu and Kyosuke Ono, 1999, "A Comparison Study on the Performance of Four Types of oil Lubricated Hydrodynamic Thrust Bearings for Hard Disk Spindles", Transactions of the ASME, Vol.121, JANUARY 1999, pp.114-120.
【００３３】
また、この理論計算で使用した計算条件（ＤＦ法、Sommerfeldの境界条件）は以下のとおりである。
【００３４】
回転部質量Ｗ            ６．５ｇ
スラスト軸受部外径Ｄｏ  ６．５ｍｍ
スラスト軸受部内径Ｄｉ  ２．５ｍｍ
溝深さｈｏ                  ７μｍ
溝本数ｋ                  １６
溝角度α                  ３０ｄｅｇ
丘溝比γ                    １
潤滑油粘度η          ５．９７ｍＰａ・ｓ
ただし、スラスト軸受隙間の最小幅Ｗminは０．０５μｍとした。
【００３５】
以上の条件に基づく理論計算結果を図６に示す。なお、図中横軸の「平面度」は、図４および図５に示す傾斜面１１の高さｈを表す。
【００３６】
図示のように本発明品Ａは、比較品Ｂに比べて接触開始回転速度が低く、従って、モータの起動直後あるいは停止直前のスラスト軸受面８ｂ１とスラスト受け面２ｃとの接触時間の短縮化に有効であることが判明した。また、図６の結果から、スラスト軸受面８ｂ１の平面度（傾斜面１１の高さｈ）が大きすぎると、接触開始回転速度が大きくなり、却って動圧効果が低減するので、平面度ｈには上限があると考えられる。この観点から本発明者らが検証したところ、傾斜面１１の高さｈと半径方向幅ｒとの比（ｈ／ｒ）が０．０１を超えると接触開始回転速度が著しく上昇することが判明した。従って、ｈ／ｒの値は０．０１以下、望ましくは０．００４以下とするのがよい。
【００３７】
なお、図５に示す比較品は、接触開始回転速度については本発明品に劣るものの、スラスト軸受面８ｂ１とスラスト受け面２ｃの接触時の接触面圧が低くなるという利点を有するので、モータの起動・停止の頻度が少ない例えば業務用の情報機器（サーバ用ＨＤＤ、業務用ＬＢＰ等）ではむしろ好結果を得られる場合もある。
【００３８】
以上、本発明の一実施形態を説明したが、本発明は、この実施形態に限定されるものではない。
【００３９】
以上の実施形態では、シール空間Ｓを、シール部材９の円筒状の内周面９ａと、これに対向する軸部２ａの外周面２ａ１との間に形成した場合を例示したが、これ以外の形態を採ることも可能である。例えば図７は、ハウジング７外部側（図７では上側）に向けて径方向隙間幅を漸次拡大させたテーパ状のシール空間Ｓ’を形成した場合を例示したものである。
【００４０】
また、図８には、ハウジング７の軸方向寸法を縮小して、動圧軸受装置１の小サイズ化を図るため、シール部材９の内周面９ａと、フランジ部２ｂの外周面２ｂ３とを対向させ、この対向面間にテーパ状のシール空間Ｓ’を形成したものが例示されている。
【００４１】
さらに、軸部材２の抜止めを考慮したものとして、例えば図９に示すような構成を挙げることができる。同図におけるシール空間Ｓ’は、フランジ部２ｂに設けられた軸方向の段差によって区画形成された外周面のうち、上側の外周面２ｂ３と、これに対向するシール部材９の内周面９ａとの間に形成される。また、段によって区画形成された上端面２ｂ１のうち外径側の端面２ｂ４は、シール部材９の下端面９ｂと対向する。
【００４２】
このような構成とすることで、シール空間Ｓ’には、遠心力および毛細間力によるシール作用が生じ、潤滑油の外部への漏れ出しが防止される。また、軸部材２の上方への相対変位時、フランジ部２ｂの外径側端面２ｂ４がシール部材９の下端面９ｂと軸方向で係合することで、軸部材２の抜止めがなされる。
【００４３】
また、この図示例では、シール部材９は、その下端面９ｂの、外径側端面２ｂ４と対向しない箇所を下方に向けて突出させた形態をなす。そのため、シール部材９の下方突出部９ｃを軸受スリーブ８の上端面８ｂに当接させることで、シール部材９の軸方向の位置決めが容易になされる。
【００４４】
図１０は、第一および第二ラジアル軸受部Ｒ１、Ｒ２を構成する多円弧軸受の他の実施形態を示すものである。この実施形態では、図３に示す構成において、各偏心円弧面８ａ１の最小隙間側の所定領域θが、それぞれ回転軸心Ｏを中心とする同心の円弧で構成されている。従って、各所定領域θにおいて、ラジアル軸受隙間（最小隙間）は一定となる。このような構成の多円弧軸受は、テーパ・フラット軸受と称されることもある。
【００４５】
図１１では、軸受スリーブ８の内周面８ａのラジアル軸受面となる領域が３つの円弧面８ａ１で形成されると共に、３つの円弧面８ａ１の中心は、回転軸心Ｏから等距離オフセットされている。３つの偏心円弧面８ａ１で区画される各領域において、ラジアル軸受隙間は、円周方向の両方向に対してそれぞれ漸次縮小した形状を有している。
【００４６】
以上に説明した第一および第二ラジアル軸受部Ｒ１、Ｒ２の多円弧軸受は、何れもいわゆる３円弧軸受であるが、これに限らず、いわゆる４円弧軸受、５円弧軸受、さらには６円弧以上の数の円弧面で構成された多円弧軸受を採用してもよい。また、ラジアル軸受部Ｒ１、Ｒ２のように、２つのラジアル軸受部を軸方向に離隔して設けた構成とするほか、軸受スリーブ８の内周面の上下領域に亘って１つのラジアル軸受部を設けた構成としてもよい。
【００４７】
また、以上の実施形態では、ラジアル軸受部Ｒ１、Ｒ２として、多円弧軸受を採用した場合を例示しているが、これ以外の軸受で構成することも可能である。ラジアル軸受部Ｒ１、Ｒ２を構成可能な軸受としては、例えば図示は省略するが、軸受スリーブ８の内周面８ａのラジアル軸受隙間に面する領域（ラジアル軸受面となる領域）に、複数の軸方向溝形状の動圧溝を形成したステップ軸受が挙げられる。あるいは、軸方向溝に代えて、へリングボーン形状やスパイラル形状の傾斜溝を形成し、これら傾斜状の動圧溝により潤滑流体の動圧作用を発生させる構成を採ることもできる。
【００４８】
また、以上の実施形態では、動圧軸受装置１の内部に充満し、ラジアル軸受隙間や、スラスト軸受隙間に動圧作用を生じる流体として、潤滑油を例示したが、それ以外にも各軸受隙間に動圧作用を生じ得る流体、例えば空気等の気体や、磁性流体等の流動性を有する潤滑剤、あるいは潤滑グリース等を使用することもできる。
【図面の簡単な説明】
【００４９】
【図１】本発明の一実施形態に係る動圧軸受装置を組み込んだ情報機器用スピンドルモータの断面図である。
【図２】動圧軸受装置の縦断面図である。
【図３】ラジアル軸受部の断面図である。
【図４】スラスト軸受隙間を概略図示する拡大断面図である。
【図５】比較品のスラスト軸受隙間を概略図示する拡大断面図である。
【図６】接触開始回転速度の理論計算結果を示す図である。
【図７】シール空間の他の構成例を示す拡大断面図である。
【図８】シール空間の他の構成例を示す拡大断面図である。
【図９】シール空間の他の構成例を示す拡大断面図である。
【図１０】ラジアル軸受部の他の構成例を示す断面図である。
【図１１】ラジアル軸受部の他の構成例を示す断面図である。
【符号の説明】
【００５０】
１      動圧軸受装置
２      軸部材
２ａ    軸部
２ｂ    フランジ部
２ｃ    スラスト受け面
３      ディスクハブ
４      ステータコイル
５      ロータマグネット
７      ハウジング
８      軸受スリーブ
８ｂ１  スラスト軸受面
９      シール部材
１０    縮小部
１１    傾斜面
Ｃ      スラスト軸受隙間
Ｓ、Ｓ’  シール空間
Ｒ１、Ｒ２  ラジアル軸受部
Ｔ      スラスト軸受部
【図１】
2006194383.tif 000003
【図２】
2006194383.tif 000004
【図３】
2006194383.tif 000005
【図４】
2006194383.tif 000006
【図５】
2006194383.tif 000007
【図６】
2006194383.tif 000008
【図７】
2006194383.tif 000009
【図８】
2006194383.tif 000010
【図９】
2006194383.tif 000011
【図１０】
2006194383.tif 000012
【図１１】
2006194383.tif 000013